(57)【要約】【課題】筐体内部のスペースを効率的に使用することが可能な携帯端末装置を提供することである。【解決手段】本発明にかかる携帯端末装置１は、固定部１１を備えるフロント筐体１０と、固定部２１を備え、フロント筐体１０と重畳するように配置されたリア筐体２０と、を備える。フロント筐体１０およびリア筐体２０は、固定部１１および固定部２１をフロント筐体１０およびリア筐体２０で形成される内部空間４５側から固定部材６０を用いて固定することで互いに固定されている。【選択図】図３
2014072618.tif 000002
【特許請求の範囲】
【請求項１】
第１の固定部を備える第１の筐体と、
第２の固定部を備え、前記第１の筐体と重畳するように配置された第２の筐体と、を備え、
前記第１および第２の筐体は、前記第１および第２の固定部を前記第１および第２の筐体で形成される内部空間側から固定部材を用いて固定することで互いに固定されている、
携帯端末装置。
【請求項２】
前記第１の固定部は第１の孔部を備え、
前記第２の固定部は第２の孔部を備え、
前記第１および第２の固定部は、前記第１の筐体と前記第２の筐体とが重畳するように配置されたとき、前記第１および第２の筐体の厚さ方向と垂直な方向において互いに重畳しており、
前記固定部材は、前記第１の孔部と前記第２の孔部とに挿通されている、
請求項１に記載の携帯端末装置。
【請求項３】
前記固定部材は、
前記第１の孔部と前記第２の孔部とに挿通する挿通部と、
前記第２の固定部の前記内部空間側の面と当接する当接部と、を備える、
請求項２に記載の携帯端末装置。
【請求項４】
前記挿通部は前記第１の孔部と前記第２の孔部とを貫通している、請求項３に記載の携帯端末装置。
【請求項５】
前記第１の孔部は前記内部空間側においてのみ開口しており、
前記挿通部は前記第２の孔部を貫通し、前記第１の孔部に挿入されている、
請求項３に記載の携帯端末装置。
【請求項６】
前記固定部材の当接部は、接着部材を用いて前記第２の固定部の前記内部空間側の面に固定されている、請求項３乃至５のいずれか一項に記載の携帯端末装置。
【請求項７】
前記固定部材の当接部と前記内部空間に収容されたバッテリの側面とが対向又は当接するように配置されている、請求項３乃至６のいずれか一項に記載の携帯端末装置。
【請求項８】
前記第１の筐体の側壁の外側にカバー部材が設けられている、請求項２乃至７のいずれか一項に記載の携帯端末装置。
【請求項９】
前記カバー部材は第３の孔部を備え、
前記固定部材は前記第１乃至第３の孔部に挿通されている、
請求項８に記載の携帯端末装置。
【請求項１０】
前記第１および第２の孔部の少なくとも一つは、長軸が前記第１および第２の筐体の側壁が延びる方向に延びる略楕円形状であり、
前記挿通部の断面は略円形状である、
請求項２乃至９のいずれか一項に記載の携帯端末装置。
【請求項１１】
前記第１および第２の固定部は、前記内部空間において前記固定部材と嵌合することで固定されている、請求項１に記載の携帯端末装置。
【請求項１２】
前記第１および第２の固定部は、前記第１および第２の筐体の長手方向の側壁に設けられている、請求項１乃至１１のいずれか一項に記載の携帯端末装置。
【請求項１３】
前記第１および第２の固定部は、前記第１および第２の筐体の長手方向の中央部側に設けられている、請求項１２に記載の携帯端末装置。
【請求項１４】
前記第１および第２の筐体は、当該第１および第２の筐体の長手方向の端部側においてネジを用いて互いに固定されている、請求項１３に記載の携帯端末装置。
【請求項１５】
前記内部空間にはバッテリが収容される、請求項１乃至１４のいずれか一項に記載の携帯端末装置。
【請求項１６】
前記内部空間にはスタンドが収容される、請求項１乃至１４のいずれか一項に記載の携帯端末装置。
【発明の詳細な説明】
【技術分野】
【０００１】
本発明は携帯端末装置に関し、特に薄型平面筐体を用いた携帯端末装置に関する。
【背景技術】
【０００２】
近年、携帯電話、スマートフォン、タブレット端末等の携帯端末装置では高機能化が進んでいる。このように携帯端末装置の高機能化が進むと、携帯端末装置で消費される電力も増加する。よって、携帯端末装置に搭載するバッテリの容量を大きくする必要がある。また、携帯端末装置では薄型化も進んでおり、携帯端末装置の薄型化を実現するためには筐体内部に部品を効率よく収容する必要がある。
【０００３】
特許文献１には、単純な構造で、かつ極めて少ない実装スペースで筐体の嵌合を強化することができる携帯型電子機器に関する技術が開示されている。特許文献２には、電子機器の一方の筐体と他方の筐体とを容易に締結するとともに、筐体を傷つけずに繰り返し締結可能な電子機器の筐体締結装置に関する技術が開示されている。特許文献３には、専用の部品を付加するのみで強固な嵌合状態と容易に分解可能な状態を切り変えることが可能な筐体の嵌合構造に関する技術が開示されている。
【先行技術文献】
【特許文献】
【０００４】
【特許文献１】特開平１０−１７３３５４号公報
【特許文献２】特開平１０−０５６２７５号公報
【特許文献３】特開２００５−２０３４３２号公報
【発明の概要】
【発明が解決しようとする課題】
【０００５】
背景技術で説明したように、携帯端末装置の高機能化が進むと携帯端末装置で消費される電力も増加するため、携帯端末装置に搭載するバッテリの容量を大きくする必要がある。このように容量の大きいバッテリを搭載するためには、携帯端末装置の筐体内部のスペースを広くする必要がある。また、携帯端末装置の薄型化の観点からも、筐体内部のスペースを広くして筐体内部に部品を効率よく収容する必要がある。このように、携帯端末装置では、筐体内部のスペースを効率的に使用することが求められている。
【０００６】
上記課題に鑑み本発明の目的は、筐体内部のスペースを効率的に使用することが可能な携帯端末装置を提供することである。
【課題を解決するための手段】
【０００７】
本発明にかかる携帯端末装置は、第１の固定部を備える第１の筐体と、第２の固定部を備え、前記第１の筐体と重畳するように配置された第２の筐体と、を備える。前記第１および第２の筐体は、前記第１および第２の固定部を前記第１および第２の筐体で形成される内部空間側から固定部材を用いて固定することで互いに固定されている。
【発明の効果】
【０００８】
本発明により、筐体内部のスペースを効率的に使用することが可能な携帯端末装置を提供することができる。
【図面の簡単な説明】
【０００９】
【図１】実施の形態にかかる携帯端末装置を示す分解斜視図である。
【図２】実施の形態にかかる携帯端末装置を背面側からみた斜視図である。
【図３】図２に示した携帯端末装置のＩＩＩ−ＩＩＩにおける断面図である。
【図４】実施の形態にかかる携帯端末装置の背面図である。
【図５】実施の形態にかかる携帯端末装置の他の態様を示す断面図である。
【図６】実施の形態にかかる携帯端末装置の他の態様を示す断面図である。
【図７】実施の形態にかかる携帯端末装置の他の態様を示す図である。
【図８Ａ】実施の形態にかかる携帯端末装置の他の態様を示す斜視図である。
【図８Ｂ】実施の形態にかかる携帯端末装置の他の態様を示す斜視図である。
【図９Ａ】図８Ａに示した携帯端末装置のＩＸＡ−ＩＸＡにおける断面図である。
【図９Ｂ】図８Ｂに示した携帯端末装置のＩＸＢ−ＩＸＢにおける断面図である。
【図１０】実施の形態にかかる携帯端末装置の他の態様を示す断面図である。
【図１１】実施の形態にかかる携帯端末装置の他の態様を示す背面図である。
【発明を実施するための形態】
【００１０】
以下、図面を参照して本発明の実施の形態について説明する。
図１は、本実施の形態にかかる携帯端末装置を示す分解斜視図である。図１に示すように、携帯端末装置１は、フロント筐体（第１の筐体）１０、リア筐体（第２の筐体）２０、基板３１、バッテリ３２、アンテナ３３、同軸ケーブル３４、表示部４０、およびバッテリカバー５０を備える。表示部４０はフロント筐体１０に取り付けられている。表示部４０は、例えば液晶パネルや有機ＥＬ（Electro Luminescence）パネル等を備える。更に、表示部４０はタッチパネルを備えていてもよい。
【００１１】
フロント筐体１０およびリア筐体２０は、携帯端末装置１の厚さ方向において互いに重畳するように配置されている。フロント筐体１０とリア筐体２０とで形成される内部空間には、基板３１およびバッテリ３２が配置される。基板３１には、例えば携帯端末装置１を駆動するためのプロセッサ、メモリ、通信モジュール等の回路素子や、カメラ用の撮像素子等が設けられている。また、バッテリ３２は、基板３１および表示部４０に電力を供給する。バッテリ３２は、例えばリチウムイオン二次電池である。リア筐体２０の背面にはバッテリカバー５０が設けられており、携帯端末装置１が組み立てられた状態で、バッテリ３２を取り外すことができるように構成されている。
【００１２】
携帯端末装置１の長手方向端部には、アンテナ３３が設けられている。アンテナ３３は、フロント筐体１０とリア筐体２０とで挟まれるように、かつ携帯端末装置１を平面視した際に表示部４０と重畳しないように配置されている。また、アンテナ３３は同軸ケーブル３４を用いて基板３１と電気的に接続されている。フロント筐体１０およびリア筐体２０は、例えば樹脂材料を用いて形成することができる。このように、フロント筐体１０およびリア筐体２０を樹脂材料で構成することで、アンテナ２７で受信する電波が遮蔽されることを抑制することができる。
【００１３】
フロント筐体１０は固定部（第１の固定部）１１を備える。固定部１１には孔部（第１の孔部）１２が形成されている。リア筐体２０は固定部（第２の固定部）２１を備える。固定部２１には孔部（第２の孔部）２２が形成されている。フロント筐体１０の固定部１１およびリア筐体２０の固定部２１は、フロント筐体１０およびリア筐体２０が互いに重畳するように配置された際に、携帯端末装置の厚さ方向と垂直な方向（つまり、表示部４０の主面と平行な方向）において互いに重畳するように配置されている。換言すると、固定部１１および固定部２１は、互いに対応する位置に配置されるように形成されている。このとき、固定部１１に設けられている孔部１２および固定部２１に設けられている孔部２２も互いに重なるように配置される。例えば、孔部１２、２２は略円形状の穴である。
【００１４】
図２は、本実施の形態にかかる携帯端末装置１を背面側からみた斜視図である。図２では、固定部２１の位置を示すために、バッテリ３２およびバッテリカバー５０を省略している。また、図３は、図２に示した携帯端末装置１のＩＩＩ−ＩＩＩにおける断面図である。図３では、バッテリ３２およびバッテリカバー５０についても図示している。
【００１５】
図２に示すように、固定部２１は、フロント筐体１０とリア筐体２０とで形成される内部空間のうち、バッテリ３２が配置される内部空間４５の側壁部分に配置されている（固定部１１についても同様である）。そして、図３に示すように、フロント筐体１０が備える固定部１１とリア筐体２０が備える固定部２１とを固定部材６０を用いて内部空間４５側から固定することで、フロント筐体１０とリア筐体２０とが互いに固定される。このとき、固定部材６０は、固定部１１に形成されている孔部１２と固定部２１に形成されている孔部２２とに挿通されている。
【００１６】
固定部材６０は、挿通部６１と当接部６２とを備える。挿通部６１は、例えば円柱形状であり、孔部１２と孔部２２とを貫通するように挿通している。このように、挿通部６１が孔部１２と孔部２２とに挿通することで、固定部１１と固定部２１とが固定される。固定部材６０は、例えば金属材料や樹脂材料等を用いて形成することができる。なお、挿通部６１の形状は円柱形状に限定されることはなく、他の任意の形状とすることができる。例えば、挿通部６１の断面形状を三角形や星形としてもよい。この場合は挿入する際に方向性が出るが、固定部１１と固定部２１のがたつきを抑えることができる。
【００１７】
また、当接部６２は固定部２１の内部空間４５側の面と当接している。このように、当接部６２が固定部２１の内部空間４５側の面と当接することで、挿通部６１が孔部１２と孔部２２とに挿通した状態で、固定部材６０を固定することができる。このとき、当接部６２を、接着部材６３を用いて固定部２１の内部空間４５側の面に固定してもよい。例えば、接着部材６３として、粘着テープや接着剤を用いることができる。
【００１８】
また、固定部材６０の当接部６２と内部空間４５に収容されたバッテリ３２の側面とが対向するように配置してもよい。また、固定部材６０の当接部６２と内部空間４５に収容されたバッテリ３２の側面とが当接するように配置してもよい。このような構成とすることで、固定部材６０が孔部１２、２２から脱落することを抑制することができる。特に、接着部材６３を用いて当接部６２を固定すると共に、当接部６２とバッテリ３２の側面とが対向するようにバッテリ３２を配置することで、落下時など瞬間的に大きな衝撃が加わり接着部材６３が剥がれた場合であっても、固定部材６０が脱落してしまうことを抑制することができる。
【００１９】
なお、接着部材６３を設けない場合は、当接部６２とバッテリ３２の側面との距離が狭くなるように構成することが好ましく、更には、当接部６２とバッテリ３２の側面とが当接するように構成することがより好ましい。このような構成とすることで、接着部材６３を省略することができ、部品点数や組み立て工数を削減することができる。
【００２０】
また、図３に示すように、フロント筐体１０の側壁の外側にカバー部材５５を設けてもよい。このようにカバー部材５５を設けることで、固定部材６０や孔部１２が外部から見えないようにすることができ、外観デザインへの影響を低減することができる。また、カバー部材５５の内部は空間となっているので固定部材６０の長さの精度誤差を吸収することができる。
【００２１】
図４は、本実施の形態にかかる携帯端末装置の背面図である。図４では、固定部材６０の位置を示すために、バッテリ３２およびバッテリカバー５０を省略している。フロント筐体１０が備える固定部１１およびリア筐体２０が備える固定部２１はそれぞれ、フロント筐体１０およびリア筐体２０の長手方向の側壁に設けられている（図２等参照）。そして、固定部１１および固定部２１は、固定部材６０を用いて固定されている。
【００２２】
図４に示す例では、固定部１１および固定部２１は、フロント筐体１０およびリア筐体２０の長手方向の中央部側に設けられている。なお、図４では、固定部材６０_１〜６０_４の位置を示しているが、固定部材６０_１〜６０_４が配置されている各々の箇所には固定部１１および固定部２１が配置されている。また、フロント筐体１０およびリア筐体２０は、フロント筐体１０およびリア筐体２０の長手方向の端部側の固定位置５１_１〜５１_４においてネジを用いて互いに固定されている。ここで、フロント筐体１０とリア筐体２０とで形成される内部空間４５にはバッテリ３２が収容され、内部空間４６には基板３１が収容され、内部空間４７にはアンテナ３３が収容される（図１参照）。
【００２３】
つまり、本実施の形態にかかる携帯端末装置では、バッテリ３２が収容される内部空間４５と対応する位置において、フロント筐体１０とリア筐体２０とを固定部材６０_１〜６０_４を用いて固定している。よって、フロント筐体１０とリア筐体２０とをネジを用いて固定した場合よりも内部空間４５のスペースを広くすることができ、容量の大きいバッテリ３２を収容することができる。また、基板３１が収容される内部空間４６およびアンテナ３３が収容される内部空間４７の固定位置５１_１〜５１_４では、フロント筐体１０とリア筐体２０とをネジを用いて固定している。このように、フロント筐体１０およびリア筐体２０を、長手方向の端部側においてネジを用いて固定することで、携帯端末装置の耐衝撃性を向上させることができる。
【００２４】
例えば、フロント筐体およびリア筐体のそれぞれにフックを設け、当該フックを用いてフロント筐体およびリア筐体を固定した場合は、落下時の衝撃に対する耐性が弱く、フロント筐体およびリア筐体が開いてしまうおそれがある。また、携帯端末装置の外部からネジ止めすることでフロント筐体およびリア筐体を固定した場合は、ネジが外部から見えてしまうため外観デザインに影響を与えるという問題がある。また、例えば外部に金属製のサイドカバーを設けてフロント筐体およびリア筐体を固定した場合は、金属製のサイドカバーがアンテナに影響を与えるという問題がある。
【００２５】
これに対して本実施の形態にかかる携帯端末装置では、フロント筐体１０に設けられている固定部１１とリア筐体２０に設けられている固定部２１を、内部空間４５側から固定部材６０を用いて固定しているので、内部空間４５のスペースを広くすることができる。よって、内部空間４５に容量の大きいバッテリ４５を収容することができる。このように、本実施の形態にかかる携帯端末装置では、筐体内部のスペースを効率的に使用することができる。
【００２６】
また、携帯端末装置の長手方向の中央部側において固定部材６０を用いてフロント筐体１０およびリア筐体２０を固定することで、携帯端末装置にひねりの力が加わった際に、フロント筐体１０およびリア筐体２０が開くことを抑制することができる。また、携帯端末装置の長手方向の端部において、フロント筐体１０およびリア筐体２０をネジを用いて固定し、携帯端末装置の長手方向の中央部側においてフロント筐体１０およびリア筐体２０を固定部材６０を用いて固定することで、内部空間４５のスペースを広くしつつ、携帯端末装置の耐衝撃性を向上させることができる。また、本実施の形態にかかる携帯端末装置では、固定部材６０を内部空間４５側から挿通しているので、固定部材６０の外観デザインへの影響を低減することができる。また、固定部材６０を挿通することで固定部１１および固定部２１を固定しているので、組立工程を簡略化することができる。
【００２７】
図５は、本実施の形態にかかる携帯端末装置の他の態様を示す断面図である。本実施の形態にかかる携帯端末装置では、例えばフロント筐体７０に設けられている固定部７１の孔部７２が貫通しないように構成してもよい。つまり、孔部７２が内部空間４５側においてのみ開口するように構成してもよい。このとき、挿通部６１は固定部２１の孔部２２を貫通し、固定部７１の孔部７２に挿入されている。このような構成とすることで、固定部材６０や孔部７２が外部から見えないようにすることができる。つまりこの場合は、図３に示したカバー部材５５を設けなくてもよい。
【００２８】
図６は、本実施の形態にかかる携帯端末装置の他の態様を示す断面図である。本実施の形態にかかる携帯端末装置では、例えば固定部材６０を用いてカバー部材７５を固定してもよい。つまり、カバー部材７５に固定部７６を形成し、更に固定部７６に孔部７７を形成する。そして、固定部材６０の挿通部６１が、孔部１２、孔部２２、および孔部７７を貫通するように挿通するようにしてもよい。
【００２９】
図７は、本実施の形態にかかる携帯端末装置の他の態様を示す図であり、リア筐体２０の固定部２１の近傍を内部空間４５側から見た図である。本実施の形態にかかる携帯端末装置では、例えば固定部１１に形成されている孔部１２'および固定部２１に形成されている孔部２２'の少なくとも一つを略楕円形状、つまり長軸がフロント筐体１０およびリア筐体２０の側壁が延びる方向に延びる略楕円形状としてもよい。このように、孔部１２'および孔部２２'の少なくとも一つを略楕円形状とすることで、フロント筐体１０およびリア筐体２０の側壁が延びる方向における、孔部１２'および孔部２２'の位置決めが容易になる。また、孔部１２'および孔部２２'の少なくとも一つを略楕円形状とすることで、側壁が延びる方向におけるフロント筐体１０およびリア筐体２０の寸法誤差を吸収することができる。このとき、挿通部６１の断面は略円形状である。
【００３０】
なお、本実施の形態にかかる携帯端末装置において、固定部材６０は少なくともフロント筐体１０およびリア筐体２０の厚さ方向における位置を決定すればよい。このため、孔部１２および孔部２２の少なくとも一つを略楕円形状としたとしても、フロント筐体１０およびリア筐体２０の厚さ方向における位置決めへの影響は小さい。
【００３１】
図８Ａ、Ｂは、本実施の形態にかかる携帯端末装置の他の態様を示す斜視図である。図９Ａは、図８Ａに示した携帯端末装置のＩＸＡ−ＩＸＡにおける断面図である。図９Ｂは、図８Ｂに示した携帯端末装置のＩＸＢ−ＩＸＢにおける断面図である。図８、図９に示すように、本実施の形態にかかる携帯端末装置では、スタンド８１が収容される内部空間８２に、フロント筐体１０の固定部１１およびリア筐体２０の固定部２１を設けてもよい。この場合も、固定部材６０は内部空間８２側からフロント筐体１０とリア筐体２０とを固定している。ここで、スタンド８１は携帯端末装置を立てかけるための部材であり、回動軸８３を中心に回動可能に構成されている。図８Ａ、図９Ａはスタンド８１が開いている状態を示しており、図８Ｂ、図９Ｂはスタンド８１が内部空間８２に収容されている状態を示している。
【００３２】
図１０は、本実施の形態にかかる携帯端末装置の他の態様を示す断面図である。図１０に示す携帯端末装置では、フロント筐体１１０は、フロント筐体１１０の内部空間４５側の側壁から突出している固定部１１１を備える。固定部１１１の先端部は携帯端末装置の厚さ方向の表示部４０側に更に突出している。また、リア筐体１２０は、リア筐体１２０の内部空間４５側の側壁から突出している固定部１２１を備える。固定部１２１の先端部は携帯端末装置の厚さ方向のバッテリカバー５０側に更に突出している。そして、フロント筐体１１０およびリア筐体１２０は、固定部１１１および固定部１２１が固定部材１６０と嵌合することで、固定されている。
【００３３】
例えば、固定部１１１、１２１は、フロント筐体１１０およびリア筐体１２０の側壁が延びる方向に所定の長さを有するように構成されており、固定部材１６０はフロント筐体１１０およびリア筐体１２０の側壁が延びる方向にスライドするように構成されている。
【００３４】
図１１は、本実施の形態にかかる携帯端末装置の他の態様を示す背面図である。図１１では、固定部材１６０の位置を示すために、バッテリ３２およびバッテリカバー５０を省略している。フロント筐体１１０が備える固定部１１１およびリア筐体１２０が備える固定部１２１はそれぞれ、フロント筐体１１０およびリア筐体１２０の長手方向の側壁に設けられている。そして、固定部１１１および固定部１２１は、固定部材１６０を用いて固定されている。
【００３５】
図１１に示す例では、固定部１１１および固定部１２１は、フロント筐体１１０およびリア筐体１２０の長手方向の中央部側に設けられている。なお、図１１では、固定部材１６０_１〜１６０_４の位置を示しているが、固定部材１６０_１〜１６０_４が配置されている各々の箇所には固定部１１１および固定部１２１が配置されている。また、フロント筐体１１０およびリア筐体１２０は、フロント筐体１１０およびリア筐体１２０の長手方向の端部側の固定位置５１_１〜５１_４においてネジを用いて互いに固定されている。ここで、フロント筐体１１０とリア筐体１２０とで形成される内部空間４５にはバッテリ３２が収容され、内部空間４６には基板３１が収容され、内部空間４７にはアンテナ３３が収容される（図１参照）。
【００３６】
つまり、本実施の形態にかかる携帯端末装置では、バッテリ３２が収容される内部空間４５と対応する位置において、フロント筐体１１０とリア筐体１２０とを固定部材１６０_１〜１６０_４を用いて固定している。よって、フロント筐体１１０とリア筐体１２０とをネジを用いて固定した場合よりも内部空間４５のスペースを広くすることができ、容量の大きいバッテリ３２を収容することができる。また、基板３１が収容される内部空間４６およびアンテナ３３が収容される内部空間４７の固定位置５１_１〜５１_４では、フロント筐体１１０とリア筐体１２０とをネジを用いて固定している。このように、フロント筐体１１０およびリア筐体１２０を、長手方向の端部側においてネジを用いて固定することで、携帯端末装置の耐衝撃性を向上させることができる。
【００３７】
以上、本発明を上記実施の形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００３８】
１  携帯端末装置
１０  フロント筐体
１１  固定部
１２  孔部
２０  リア筐体
２１  固定部
２２  孔部
３１  基板
３２  バッテリ
３３  アンテナ
３４  同軸ケーブル
４０  表示部
４５、４６、４７  内部空間
５０  バッテリカバー
５１_１〜５１_４  固定位置
５５  カバー部材
６０  固定部材
６１  挿通部
６２  当接部
６３  接着部材
８１  スタンド
８２  内部空間
８３  回動軸
【図１】
2014072618.tif 000003
【図２】
2014072618.tif 000004
【図３】
2014072618.tif 000005
【図４】
2014072618.tif 000006
【図５】
2014072618.tif 000007
【図６】
2014072618.tif 000008
【図７】
2014072618.tif 000009
【図８Ａ】
2014072618.tif 000010
【図８Ｂ】
2014072618.tif 000011
【図９Ａ】
2014072618.tif 000012
【図９Ｂ】
2014072618.tif 000013
【図１０】
2014072618.tif 000014
【図１１】
2014072618.tif 000015